【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
３次元物体プリンタにおいて、
複数のノズルにおける各ノズルが押出材料を放出するように構成された複数のノズル、および
複数のチャネルにおける各チャネルが、前記複数のノズルにおける１つのノズルに一対一で対応するように接続され、前記１つのノズルに前記押出材料を供給するように構成された複数のチャネル
を含むマルチノズル押出機と、
押出材料のフィラメントを保持するように構成されたスプールを有する第１の押出材料供給部と、
第１のディスペンサであって、
前記第１の押出材料供給部から前記押出材料を受けるように構成された入口、
前記１つのチャネルと並べて位置決めされたときに、前記第１の押出材料供給部から受けた前記押出材料を前記マルチノズル押出機における前記複数のチャネルのうちの１つのチャネルに導くように構成された出口、
前記第１のディスペンサの入口に近接して配置され、前記複数のチャネルのうちの前記１つのチャネルに入るフィラメントの第１の部分を、前記第１の押出材料供給部内の前記フィラメントの第２部分から分離するように構成されたカッター、および
前記複数のチャネルのうちの少なくとも２つのチャネルと異なる時間において並ぶように前記出口を移動して、前記第１の押出材料供給部から前記複数のチャネルのうちの前記少なくとも２つのチャネルに異なる時間において前記押出材料を供給するように構成されたアクチュエータを含む第１のディスペンサとを備える、
３次元物体プリンタ。
【請求項２】
前記第１の押出材料供給部の前記押出材料とは異なる押出材料を格納するように構成された第２の押出材料供給部をさらに備え、
前記アクチュエータが、さらに、前記第２の押出材料供給部と並ぶように前記第１のディスペンサの前記入口を移動して、前記第２の押出材料供給部から前記押出材料を受け取らさせるように構成される、請求項１に記載の３次元物体プリンタ。
【請求項３】
前記カッターに動作接続された他のアクチュエータであって、前記カッターを移動して、前記フィラメントの前記第１の部分を前記フィラメントの前記第２の部分から分離するように構成された他のアクチュエータをさらに備える、請求項１に記載の３次元物体プリンタ。
【請求項４】
前記アクチュエータが、前記第１のディスペンサを回転して、前記出口と、前記マルチノズル押出機の前記複数のチャネルのうちの少なくとも２つのチャネルとを異なる時間において並べるように構成される、請求項１に記載の３次元物体プリンタ。
【請求項５】
前記アクチュエータが、所定の経路に沿って前記第1のディスペンサを平行移動して、前記出口と、前記マルチノズル押出機の前記複数のチャネルにおける各チャネルとを異なる時間において並べるように構成される、請求項１に記載の３次元物体プリンタ。
【請求項６】
前記第１のディスペンサが前記マルチノズル押出機のハウジング内に配置される、請求項１に記載の３次元物体プリンタ。
【請求項７】
前記第１のディスペンサの前記アクチュエータが、さらに、
前記複数のチャネルの第１の部分と並ぶように前記出口を移動して、前記第１の押出材料供給部から前記複数のチャネルの前記第１の部分における少なくとも１つのチャネルに、前記押出材料を異なる時間において供給するように構成されており、
前記３次元物体プリンタが、さらに、
押出材料を格納するように構成された第２の押出材料供給部と、
第２のディスペンサであって、
前記第２の押出材料供給部から前記押出材料を受けるように構成された入口、
前記１つのチャネルと並べて位置決めされたときに前記第２の押出材料供給部から受けた前記押出材料を前記マルチノズル押出機内の前記複数のチャネルのうちの１つのチャネルに導くように構成された出口、および
前記複数のチャネルの第２の部分と並ぶように前記第２のディスペンサの前記出口を移動して、前記第２の押出材料供給部から前記複数のチャネルの前記第２の部分における少なくとも２つのチャネルに、前記押出材料を異なる時間において供給するように構成されたアクチュエータを含む第２のディスペンサと、を備え、
前記複数のチャネルの前記第２の部分が、前記複数のチャネルの前記第１の部分と異なる、請求項１に記載の３次元物体プリンタ。
【請求項８】
前記第１の押出材料供給部が、第１の色を有する押出材料を格納し、前記第２の押出材料供給部が、第２の色を有する押出材料を格納する、請求項７に記載の３次元物体プリンタ。
【請求項９】
前記第１の押出材料供給部が、第１の材料特性を有する押出材料を格納し、前記第２の押出材料供給部が、異なる材料特性を有する押出材料を格納する、請求項７に記載の３次元物体プリンタ。
【請求項１０】
前記複数のチャネルのうちの少なくとも１つのチャネルが、溶融装置および材料押出機に前記押出材料を供給する、請求項１に記載の３次元物体プリンタ。
【請求項１１】
前記溶融装置および材料押出機が前記複数のノズルのうちの単一のノズルから材料を押し出す、請求項１０に記載の３次元物体プリンタ。
【請求項１２】
前記溶融装置および材料押出機が前記複数のノズルのうちのいくつかのノズルから材料を押し出す、請求項１０に記載の３次元物体プリンタ。
【請求項１３】
３次元物体プリンタにおいて、
押出材料を受けるように構成された第１のチャネルを備える第１の印刷ヘッドと、
前記押出材料を受けるように構成された第２のチャネルを備える第２の印刷ヘッドと、
第１の押出材料供給部から前記押出材料を受けるように構成された入口、および前記第１の押出材料供給部から受けた前記押出材料を前記第１の印刷ヘッド内の前記第１のチャネルまたは前記第２の印刷ヘッド内の前記第２のチャネルに導くように構成された出口を含むディスペンサと、
前記ディスペンサの前記入口に近接して配置され、前記第１の印刷ヘッドの前記第１のチャネルまたは前記第２の印刷ヘッドの前記第２のチャネルに入る前記押出材料の第１の部分を、前記第１の押出材料供給部内の前記フィラメントの第２の部分から分離するように構成されたカッターと、
前記第１の印刷ヘッドの前記第１のチャネルおよび前記第２の印刷ヘッドの前記第２のチャネルのそれぞれと異なる時間において並ぶように前記ディスペンサの前記出口を移動して、前記第１の押出材料供給部から前記第１の印刷ヘッドおよび前記第２の印刷ヘッドのそれぞれに異なる時間において前記押出材料を供給するように構成されたアクチュエータと、を備える、３次元物体プリンタ。
【請求項１４】
前記第１の印刷ヘッドが、前記ディスペンサから前記押出材料をそれぞれ受ける複数のノズルを備える、請求項１３に記載の３次元物体プリンタ。
【請求項１５】
３次元物体プリンタにおいて、
複数のノズルにおける各ノズルが押出材料を放出するように構成された複数のノズル、および
複数のチャネルにおける各チャネルが、前記複数のノズルにおける１つのノズルに接続され、前記１つのノズルに前記押出材料を供給するように構成された複数のチャネル
を含むマルチノズル押出機と、
押出材料を格納するように構成された第１の押出材料供給部と、
第１のディスペンサであって、前記第１の押出材料供給部から前記押出材料を受けるように構成された入口、および、前記１つのチャネルと並べて位置決めされたときに、前記第１の押出材料供給部から受けた前記押出材料を前記マルチノズル押出機における前記複数のチャネルのうちの１つのチャネルに導くように構成された出口を含む第１のディスペンサと、
前記第１のディスペンサを回転して、前記マルチノズル押出機の前記複数のチャネルのうちの少なくとも２つのチャネルと異なる時間において並ぶように前記出口を移動し、前記第１の押出材料供給部から前記複数のチャネルのうちの前記少なくとも２つのチャネルに前記押出材料を異なる時間において供給するように構成されたアクチュエータと、
を備える３次元物体プリンタ。
【請求項１６】
前記第１の押出材料供給部が、さらに、
前記押出材料のフィラメントを保持するように構成されたスプールを備える、請求項１５に記載の３次元物体プリンタ。
【請求項１７】
前記第１のディスペンサが、さらに、
前記複数のチャネルのうちの１つのチャネルに入る前記フィラメントの第１の部分を、前記第１の押出材料供給部内の前記フィラメントの第２の部分から分離するように構成されたカッターを備える、請求項１６に記載の３次元物体プリンタ。
【請求項１８】
前記第１の押出材料供給部の前記押出材料とは異なる押出材料を格納するように構成された第２の押出材料供給部をさらに備え、
前記アクチュエータが、さらに、前記第２の押出材料供給部と並ぶように前記入口を移動して、前記第２の押出材料供給部から前記押出材料を受け取らさせるように構成される、請求項１７に記載の３次元物体プリンタ。
【請求項１９】
前記カッターが前記第１のディスペンサの前記出口に近接して配置される、請求項１７に記載の３次元物体プリンタ。
【請求項２０】
前記カッターに動作接続された他のアクチュエータであって、前記カッターを移動して、前記フィラメントの前記第１の部分を前記フィラメントの前記第２の部分から分離するように構成された他のアクチュエータをさらに備える、請求項１７に記載の３次元物体プリンタ。
【請求項２１】
前記カッターが前記第１のディスペンサ内の所定の位置に配置され、前記第１のディスペンサ内の前記アクチュエータが、前記フィラメントを移動して前記カッターと接触させ、前記フィラメントの第１の部分を前記フィラメントの第２の部分から分離するように構成される、請求項１７に記載の３次元物体プリンタ。
【請求項２２】
前記アクチュエータが、所定の経路に沿って前記第1のディスペンサを平行移動して、前記出口と、前記マルチノズル押出機の前記複数のチャネルにおける各チャネルとを異なる時間において並べるように構成される、請求項１７に記載の３次元物体プリンタ。
【手続補正２】
【補正対象書類名】明細書
【補正対象項目名】発明の名称
【補正方法】変更
【補正の内容】
【発明の名称】３次元物体プリンタ